(57)【特許請求の範囲】
【請求項１】
隣接するもの同士がその縁部の縦方向の辺で接続された、膜材でできた矩形の側壁を４つ備えており、
前記側壁に囲まれた、平面視した場合に４角形のその上下が開口された空間に内容物を入れて用いられる箱型土嚢であって、
対向する２つの前記側壁の上方部分の対応する位置にはそれぞれ空隙が設けられており、
その使用時において、前記側壁に囲まれた前記空間のうちの前記空隙の下方に位置する部分にのみ前記内容物を入れることにより、２つの前記空隙の間の空間を銃眼口として用いることができるようになっている、
箱型土嚢。
【請求項２】
前記空隙は、前記側壁に設けられた孔である、
請求項１記載の箱型土嚢。
【請求項３】
前記空隙は、前記側壁に設けられた、前記側壁の上辺で開口した切欠きである、
請求項１記載の箱型土嚢。
【請求項４】
２つの前記空隙は、その形状と大きさとが対応したものとなっている、
請求項１記載の箱型土嚢。
【請求項５】
前記空隙は、横長の矩形である、
請求項１〜４のいずれかに記載の箱型土嚢。
【請求項６】
前記空隙を塞ぐことのできる形状、大きさの膜材でできた目隠し膜材を備えている、
請求項１〜５のいずれかに記載の箱型土嚢。
【請求項７】
前記目隠し膜材は、前記側壁に取付けられており、前記空隙を塞ぐ位置と、前記空隙を塞がない位置とに位置させられるようになっている、
請求項６記載の箱型土嚢。
【請求項８】
前記目隠し膜材は、その下端を前記側壁に取付けられており、前記空隙を塞がない位置に位置させられる場合には、前記側壁に囲まれた前記空間に入れられた内容物の上に置けるようになっている、
請求項７記載の箱型土嚢。
【請求項９】
前記側壁で囲まれた前記空間に、前記側壁のうちの隣接するもの同士の幅方向の中程にその幅方向の両辺を接続された、膜材でできた矩形の隔壁を備えており、前記隔壁が、平面視した場合に４角形を作るようになっているとともに、
前記隔壁は、前記空隙の下端よりも下方に位置するようになっている、
請求項１記載の箱型土嚢。
【請求項１０】
請求項１〜９のいずれかに記載の箱型土嚢である第１の箱型土嚢と、
隣接するもの同士がその縁部の縦方向の辺で接続された、膜材でできた矩形の４つの側壁を備えており、
前記側壁に囲まれた、平面視した場合に前記側壁が作る４角形のその上下が開口された空間に内容物を入れて用いられるものであり、
前記側壁で囲まれた空間に、前記側壁のうちの隣接するもの同士の幅方向の中程にその幅方向の両辺を接続された、膜材でできた矩形の隔壁を備えており、平面視した場合に前記隔壁が、４角形を作るようになっており、
いずれの側壁も前記空隙を有さない、
第２の箱型土嚢と、
を有しており、
前記第１の箱型土嚢と、前記第２の箱型土嚢とを、前記第１の箱型土嚢の前記空隙のない側壁の一つと、前記第２の箱型土嚢の前記側壁の一つとを隣接させるようにして複数並べてなり、且つ隣接させられた側壁を前記第１の箱型土嚢と前記第２の箱型土嚢とに共通の１つの側壁とした構造となっている、
箱型土嚢。
【発明の詳細な説明】
【技術分野】
【０００１】
本発明は、箱型土嚢に関する。
【背景技術】
【０００２】
簡易的な構造物を構築するのに箱型土嚢が用いられることがある。例えば、戦地において即時に仮設の建築物や、防御壁を作らなければならない場合などに、箱型土嚢が用いられている。
【０００３】
箱型土嚢は通常、３枚以上の側壁を備えている。そしてその側壁で囲まれた空間に内容物を充填して、簡易的な壁として機能させられるようになっている。内容物は一般に、現地調達可能なものであり、例えば、土砂、砕石、岩、礫、コンクリート、或いはこれらの混合物、又はこれらを袋に詰めたものである。それにより、箱型土嚢は、小銃弾・ロケット弾等の直射火力又は砲弾等の曲射火力に対して防護することができ、仮設ではあるが十分な防護壁として機能するものとなる。
【０００４】
箱型土嚢の側壁は、金網とされているのが一般的である。金網は、例えばその壁面を金属板により構成するよりは軽く、またある程度の強度も期待できる。また、金網でできた側壁は、隣接する側壁同士をその一方が他方に対して回転できるようにヒンジ接続するのも容易であるので、箱型土嚢を、折りたたみ可能なハンドリングの良いものとするにも向いている。
【０００５】
箱型土嚢を更に軽量化し、そのハンドリングを更によくさせるため、箱型土嚢の側壁を布等の膜材にするという技術も知られている。
側壁を膜材とすることで側壁を軽量化できるので、箱型土嚢全体が軽量となる。また、金網である側壁は、側壁同士がヒンジ状に接続された部分でのみ折り畳み可能であり、側壁の途中で折り曲げることができないが、膜材である側壁は側壁同士の接続部分のみならず側壁のどこででも折り曲げ可能であるから、この箱型土嚢はハンドリング性も高い。
【発明の概要】
【発明が解決しようとする課題】
【０００６】
他方、箱型土嚢をより目的に応じたものとしたいという要求もある。
箱型土嚢の使用目的の一つに上述のように防御壁を構築するというものがある。防御壁は本来、防御を行うという目的からすれば一枚岩状であり、敵側からの攻撃を許す隙間がないものとすべきである。他方、防御壁の一部に隙間乃至防御壁を貫通する孔を設けて、そこに差し入れた銃口から攻撃を行えるようにしたい場合がある。そのような隙間乃至孔は銃眼口と呼ばれるが、そのような銃眼口を有する防御壁を簡易的に構築することができる箱型土嚢は今のところ知られていない。
【０００７】
本願発明は、銃眼口を有する防御壁を簡易的に構築できる箱型土嚢を提供することをその課題とする。
【課題を解決するための手段】
【０００８】
上述の課題を解決するため、本願発明者は以下の発明を提案する。
本願発明は、隣接するもの同士がその縁部の縦方向の辺で接続された、膜材でできた矩形の側壁を４つ備えており、前記側壁に囲まれた、平面視した場合に４角形のその上下が開口された空間に内容物を入れて用いられる箱型土嚢である。
そして、この箱型土嚢の対向する２つの前記側壁の上方部分の対応する位置にはそれぞれ空隙が設けられており、その使用時において、前記側壁に囲まれた前記空間のうちの前記空隙の下方に位置する部分にのみ前記内容物を入れることにより、２つの前記空隙の間の空間を銃眼口として用いることができるようになっている。これは、簡易的な防御壁を構築することのできる、膜材でできた箱型土嚢の一般的な構成である。つまり、本願の箱型土嚢は、簡易的な防御壁を構築できる。
そして、この箱型土嚢の対向する一組の側壁の上方部分には、側壁が存在しない部分である空隙が設けられている。この箱型土嚢は、その使用時において、４つの側壁で囲まれた上記空間のうちの上記空隙の下方に位置する部分にのみ内容物を入れて用いられる。そうすることによって、この箱型土嚢の上方の空隙で挟まれた空間を、銃眼口として利用することができるようになる。
【０００９】
前記空隙は、前記側壁に設けられた孔であっても良い。また、前記空隙は、前記側壁に設けられた、前記側壁の上辺で開口した切欠きであっても良い。いずれにしても、銃眼口を有する防御壁を構築できる。
２つの空隙の形状、大きさは、これには限られないが、互いに対応したものとすることができる。そうすることにより、防御壁に銃眼口を作りやすくなる。また２つの空隙の形状は、これには限られないが、横長の矩形とすることができる。これにより、複数の銃の銃口を銃眼口に挿入することが可能となり、例えば複数人で攻撃を行うことも可能となる。
【００１０】
本願の箱型土嚢は、前記空隙を塞ぐことのできる形状、大きさの膜材でできた目隠し膜材を備えていてもよい。このような目隠し膜材があれば、空隙を目隠し膜材で塞ぐことが可能となる。目隠し膜材で空隙を塞いだ箱型土嚢は、その使用時において、４つの側壁で囲まれた空間に、内容物を、側壁の上側の縁に至るまで入れることが可能となる。この場合に構築される防御壁は銃眼口がないものとなる。
つまり、目隠し膜材を備える箱型土嚢であれば、銃眼口がある防御壁と銃眼口がない防御壁の双方を、選択して構築できるようになる。
目隠し膜材は箱型土嚢から分離されていても良い。他方、目隠し膜材は、箱型土嚢に取付けられていても、例えば、前記側壁に取付けられていても良い。後者の場合、目隠し膜材は、前記空隙を塞ぐ位置と、前記空隙を塞がない位置とに位置させられるようにする。そうすることにより、目隠し膜材の紛失を防ぐことができる。
目隠し膜材が側壁に取付けられている場合、前記目隠し膜材は、その下端を前記側壁に取付けられており、前記空隙を塞がない位置に位置させられる場合には、前記側壁に囲まれた前記空間に入れられた内容物の上に置けるようになっていても良い。これによれば、それぞれの側壁の空隙を塞ぐことができる目隠し膜材を、箱型土嚢の内側に向かって倒すだけで、空隙を露出させることができ、また、その状態から目隠し膜材を起こすだけで空隙を塞ぐことができるので、銃眼口のある防御壁を構築する準備も、銃眼口のない防御壁を構築する準備も、簡単に行えるようになる。
【００１１】
本願の箱型土嚢は、前記側壁で囲まれた前記空間に、前記側壁のうちの隣接するもの同士の幅方向の中程にその幅方向の両辺を接続された、膜材でできた矩形の隔壁を備えており、前記隔壁が、平面視した場合に４角形を作るようになっていてもよい。
本願の箱型土嚢が備える側壁は、膜材でできているため、本願の箱型土嚢は、特に、４つの側壁で囲まれた空間に内容物を入れる前の状態では、自立性が高くないという状況も生じうる。ここで、４つの側壁で囲まれた空間に、平面視した場合に４角形を作る隔壁を配し、その隔壁に、隣接する２つの側壁を繋がせることとすれば、箱型土嚢の自立性を高くすることができる。これにより、箱型土嚢に内容物を入れる作業を行い易くなる。また、上述の隔壁は、箱型土嚢の強度を、ひいては構築された防御壁の強度を高めるようにも機能する。
【００１２】
本願発明者は、また、以上で説明した箱型土嚢である第１の箱型土嚢と、隣接するもの同士がその縁部の縦方向の辺で接続された、膜材でできた矩形の４つの側壁を備えており、前記側壁に囲まれた、平面視した場合に前記側壁が作る４角形のその上下が開口された空間に内容物を入れて用いられるものであり、前記側壁で囲まれた空間に、前記側壁のうちの隣接するもの同士の幅方向の中程にその幅方向の両辺を接続された、膜材でできた矩形の隔壁を備えており、平面視した場合に前記隔壁が、４角形を作るようになっており、いずれの側壁も前記空隙を有さない、第２の箱型土嚢と、を組み合わせた箱型土嚢をも本願発明の一つとして提案する。
この箱型土嚢では、前記第１の箱型土嚢と、前記第２の箱型土嚢とを、前記第１の箱型土嚢の前記空隙のない側壁の一つと、前記第２の箱型土嚢の前記側壁の一つとを隣接させるようにして複数並べてなり、且つ隣接させられた側壁を前記第１の箱型土嚢と前記第２の箱型土嚢とに共通の１つの側壁とした構造となっている。
このような箱型土嚢を用いた防御壁は、銃眼口がある部分とない部分を含むものとでき、且つ特に目隠し膜材を備える場合には、銃眼口が存在するようにも、しないようにもできるものとなる。
なお、この場合の箱型土嚢は、第１の箱型土嚢、第２の箱型土嚢とも、それが少なくとも１つあればよく、第１の箱型土嚢、第２の箱型土嚢の少なくとも１つが、複数であっても良い。
【図面の簡単な説明】
【００１３】
【図１】本願発明の実施形態における箱型土嚢の構成を示す斜視図。
【図２】図１に示した箱型土嚢に含まれる第１土嚢の側断面図。
【図３】図１に示した箱型土嚢の平面図。
【図４】図１に示した箱型土嚢を用いて防御壁を構築する方法を示す斜視図。
【図５】図１に示した箱型土嚢を用いて防御壁を構築する方法を示す斜視図。
【図６】図１に示した箱型土嚢を用いて防御壁を構築する方法を示す斜視図。
【図７】図１に示した箱型土嚢を用いて防御壁を構築する方法を示す斜視図。
【図８】図１に示した箱型土嚢を用いて防御壁を構築する方法を示す斜視図。
【図９】図１に示した箱型土嚢の変形例を示す正面図。
【発明を実施するための形態】
【００１４】
以下、図面を参照しつつ、本発明の好ましい実施形態を説明する。
【００１５】
本願発明の一実施形態の箱型土嚢１００を図１に示す。図１に示された箱型土嚢１００は組立られた状態である。箱型土嚢１００は、その殆ど或いはすべてを膜材で構成されているので、不使用時には畳むことができる。
【００１６】
箱型土嚢１００は、第１土嚢１１０と、第１土嚢１１０の両側に設けられた２つの第２土嚢１２０を備えている。
【００１７】
第１土嚢１１０は、直方体形状であり、この実施形態ではこれには限られないが、立方体形状である。
第１土嚢１１０は、４つの第１側壁１１１を備えている。第１側壁１１１はいずれも矩形であり、この実施形態では、これには限られないがいずれも正方形である。第１側壁１１１はいずれも膜材でできている。膜材としては、例えば、ポリエステル等の合成繊維製の不織布によるシートや、合成繊維製の織物によるシート、または、これらに合成樹脂を被覆したシート等を用いることができる。なお、この点は以下に登場する膜材についても同様である。
各第１側壁１１１の４つの辺のうち上下に伸びる辺は、隣接する第１側壁１１１の上下に伸びる辺と接続されている。これには限られないが、この実施形態では２つの辺はその全長に亘って接続されている。第１側壁１１１同士の接続方法は、公知或いは周知技術によれば良いが、この実施形態ではこれには限られないが、縫合である。
第１土嚢１１０は、４つの第１側壁１１１に囲まれた空間を有している。４つの第１側壁１１１は、平面視で矩形、より詳細には正方形である。４つの第１側壁１１１に囲まれたこの空間は、その上下が開放されている。箱型土嚢１００が用いられる場合、後述するように、上下が開放されたこの空間に、内容物が入れられる。内容物は一般に、現地調達可能なものであり、例えば、土、砂、砕石、琉球石灰、瓦礫、コンクリート、或いはこれらの混合物、又はこれらを袋に詰めたものである。
【００１８】
第１側壁１１１のうちの対向する２つ、より詳細には、図１における前後の２つには、孔１１２が穿たれている。なお、以下の説明において、前後左右の概念は、図１における箱型土嚢１００の前後左右に倣うものとする。孔１１２は、孔１１２が穿たれた第１側壁１１１における対応する位置に設けられている。これには限られないが、この実施形態における２つの孔１１２は、同一の形状、大きさとされている。これには限られないが、この実施形態における２つの孔１１２は、矩形、それも横長の矩形とされている。
【００１９】
この実施形態における箱型土嚢１００は、また、２つの目隠し膜材１１３を備えている。２つの目隠し膜材１１３は、２つの孔１１２を塞ぐことが可能な膜材である。目隠し膜材１１３はその名の通り膜材でできている。目隠し膜材１１３は、また、２つの孔１１２を塞ぐことのできる形状、大きさとされており、これには限られないが、この実施形態では、孔１１２よりも一回り大きい、横長の矩形とされている。
目隠し膜材１１３は、箱型土嚢１００に取付けられている。この実施形態では、２つの目隠し膜材１１３はそれぞれ、それらが塞ぐことが予定された孔１１２が穿たれた第１側壁１１１に取付けられている。これには限られないが、この実施形態では、２つの目隠し膜材１１３は、その下端を、孔１１２の下側の辺の下側に取付けられている。かかる取付けは、公知或いは周知技術によれば良いが、この実施形態ではこれには限られないが、縫合である。
この実施形態における両目隠し膜材１１３は、また、孔１１２を塞ぐ位置と、孔１１２を塞がない位置の２つの位置を採れるようになっている。図２に示したように、目隠し膜材１１３は、その上端を、第１側壁１１１を跨ぐように折り返して孔１１２を塞げるようになっている。図２の左側の目隠し膜材１１３がこの位置にある。また、目隠し膜材１１３は、その上端を４つの第１側壁１１１の内側に倒すことによって、孔１１２を塞がないようにすることができる。図２の右側の目隠し膜材１１３がこの位置にある。後述するように、第１土嚢１１０の内部の４つの第１側壁１１１に囲まれた空間には内容物が入れられるが、内容物は、図２に示したように孔１１２の下側の空間にのみ入れられる。孔１１２を塞がない位置にある目隠し膜材１１３は、内容物Ｘの上側に横たわらせることができる。２つの目隠し膜材１１３はともに、上述の２つの位置の間で、第１側壁１１１に接続されたその基端を中心として、倒しまた起き上がらせる回転運動を行わせることができるようになっている。
なお、目隠し膜材１１３が孔１１２を塞ぐ位置にある場合に、目隠し膜材１１３を、第１側壁１１１に固定できるようにしても良い。それにより、孔１１２を塞いだ目隠し膜材１１３が意図せず倒れこむのを防止することができる。かかる固定は公知或いは周知技術によれば良いが、例えば紐で結ぶとか、面ファスナを用いるなどすればその目的は達せられる。
【００２０】
第１土嚢１１０の４つの第１側壁１１１で囲まれた空間の中には、第１隔壁１１４が設けられている（図３）。第１隔壁１１４は、膜材でできており、矩形である。第１隔壁１１４は４つ存在し、その両端の縦の辺は、隣接する２つの第１側壁１１１の幅方向の中程とそれぞれ接続されている。これには限られないが、この実施形態における第１隔壁１１４の両端は、第１側壁１１１の幅方向の中心に接続されている。
第１隔壁１１４と第１側壁１１１の接続方法は、公知或いは周知技術によれば良いが、この実施形態ではこれには限られないが、縫合である。
いずれの第１隔壁１１４も、その上下方向の長さは、第１側壁１１１の下端から、第１側壁１１１に設けられた孔１１２の直下までとなっている。
第１隔壁１１４の存在により第１土嚢１１０の自立性が高まり、またその強度も高まる。
【００２１】
第２土嚢１２０は、第１土嚢１１０の両側に設けられている。
第２土嚢１２０は簡単に言うと、第１土嚢１１０から、孔１１２と目隠し膜材１１３とを除いたものとなっている。
第２土嚢１２０は、３つの第２側壁１２１を備えている。３つの第２側壁１２１は、第１土嚢１１０の第１側壁１１１と同様に構成されている。また、３つの第２側壁１２１は、第１側壁１１１のうちの孔１１２を持たない１つを加えることにより、平面視で４角形の上下が開放された空間を形成する。かかる空間に内容物が入れられるのは、第１土嚢１１０の場合と同様である。
第２土嚢１２０の、３つの第２側壁１２１と第１側壁１１１とに囲まれた空間には、４つの第２隔壁１２４が設けられている。第２隔壁１２４は、第１土嚢１１０の第１隔壁１１４と同様に構成されている。ただし、第２隔壁１２４の上下方向の長さは、第２側壁１２１の上下方向の長さに同じである。各第２隔壁１２４の２つの縦の辺は、隣接する第２側壁１２１と接続されている。かかる接続の方法、態様は、第１隔壁１１４と第１側壁１１１との接続の方法、態様と同様である。
【００２２】
次にこの箱型土嚢１００の使用方法について説明する。
まず、箱型土嚢１００を、防御壁を構築すべき適当な場所に設置する。そして、その第１土嚢１１０と、第２土嚢１２０に内容物Ｘを入れる（図４）。
第１土嚢１１０においては、４つの第１側壁１１１に囲まれた空間のうち、孔１１２の下側に位置する部分まで内容物Ｘを入れる。
第２土嚢１２０においては、３つの第２側壁１２１と１つの第１側壁１１１とに囲まれた空間の全体、つまり第２側壁１２１と第１側壁１１１の上端まで、内容物Ｘを入れる。
一般に、箱型土嚢１００の高さは１ｍから数ｍあるので、かかる作業は通常、重機を用いて行う。
そして、第１土嚢１１０に内容物Ｘを入れたら、第１土嚢１１０の目隠し膜材１１３を、第１土嚢１１０内の内容物Ｘの上に倒す。
【００２３】
次いで、箱型土嚢１００と同じ高さの追加土嚢２００を、箱型土嚢１００の両側の後方に適宜配置し、配置した追加土嚢２００の中に、内容物Ｘを入れる（図５）。
追加土嚢２００は、３つの第２側壁１２１と１つの第１側壁１１１とに囲まれた空間を作るために第１土嚢１１０と共用している第１側壁も加えて考えれば、第２土嚢１２０と同一の構成を持つと捉えることができる。つまり、追加土嚢２００は、４つの側壁２０１と、４つの隔壁２０４とを備えている。追加土嚢２００の高さは、箱型土嚢１００の高さと同じとする。なお、この実施形態では、箱型土嚢１００の右側と左側のそれぞれの後方に、２つずつ追加土嚢２００を配することとしているが、この数はこの限りではない。また、隣接する追加土嚢２００は、互いに接する側壁２０１を共用することで、一連とされていても良い。
【００２４】
次いで、箱型土嚢１００と追加土嚢２００の上に、板３００を乗せる（図６）。それにより、前面及び側面を箱型土嚢１００と、追加土嚢２００に、そしてその上面を板３００にそれぞれ守られた、兵士等にとって安全な空間ができあがる。
板３００は、防御壁が求められる強度を備えるものであれば足り、例えば鉄板である。
【００２５】
次いで、板３００の上に、板３００の周囲に沿うようにして第２追加土嚢４００を配し（図７）、その中に内容物Ｘを入れるとともに、第２追加土嚢４００に囲まれた中心部の空間５００にも内容物Ｘを入れる（図８）。
第２追加土嚢４００は、追加土嚢２００と同様に構成されている。つまり、第２追加土嚢４００は、４つの側壁４０１と、４つの隔壁４０４とを備えている。ただし、これには限られないがこの実施形態における第２追加土嚢４００の高さは、追加土嚢２００よりも低くなっている。第２追加土嚢４００のうちの隣接するもの同士は、その隣接する側壁４０１を共用することで一連となっていても良い。
この実施形態では、板３００の中心部には第２追加土嚢４００をおかずにその空間５００に内容物Ｘを充填することとしていたが、もちろん当該空間５００に、その空間５００の形状、大きさに則した第２追加土嚢４００を配置することも可能である。
【００２６】
以上のようにして、防御壁が完成する。
箱型土嚢１００の２つの孔１１２及びその間の空間は、銃眼口として利用可能である。
また、孔１１２を目隠し膜材１１３で塞いだ場合には、箱型土嚢１００の第１土嚢１１０の４つの第１側壁１１１で囲まれた空間には、第１側壁１１１の高さ方向の上限まで内容物Ｘを入れることが可能である。そうすることで、箱型土嚢１００は、銃眼口のない防御壁を構築する場合にも使用することができるものとなる。
【００２７】
なお、この実施形態における箱型土嚢１００の第１土嚢１１０が備えていた４つの第１側壁１１１のうちの対向する２つには、銃眼口を形成するための孔１１２が設けられていた。
この孔１１２は、図９に示したような第１側壁１１１の上側の辺から下方に向かって切り欠かれた切欠き１１５とすることもできる。この場合の切欠き１１５は、横長の矩形とすることができる。また、この場合も上述した実施形態で説明した目隠し膜材１１３を用いることができるが、その目隠し膜材１１３は切欠き１１５全体を塞ぐことができるものとする。
【符号の説明】
【００２８】
１００  箱型土嚢
１１０  第１土嚢
１１１  第１側壁
１１２  孔
１１３  目隠し膜材
１１４  第１隔壁
１１５  切欠き
１２０  第２土嚢
１２１  第２側壁
１２４  第２隔壁
２００  追加土嚢
３００  板
４００  第２追加土嚢
【図１】
0006389736.tif 000002
【図２】
0006389736.tif 000003
【図３】
0006389736.tif 000004
【図４】
0006389736.tif 000005
【図５】
0006389736.tif 000006
【図６】
0006389736.tif 000007
【図７】
0006389736.tif 000008
【図８】
0006389736.tif 000009
【図９】
0006389736.tif 000010